【手続補正書】
【提出日】平成21年8月7日(2009.8.7)
【手続補正１】
【補正対象書類名】特許請求の範囲
【補正対象項目名】全文
【補正方法】変更
【補正の内容】
【特許請求の範囲】
【請求項１】
情報処理装置において、
データ処理装置を使用するユーザを識別する認証手段と、
前記認証手段により識別されたユーザのうち前記データ処理装置の使用を終了したことになっていないユーザを識別するユーザ識別情報を記憶する記憶手段と、
前記データ処理装置との通信ができない状態から前記データ処理装置との通信ができる状態になった場合に、前記ユーザ識別情報が前記記憶手段に記憶されていることに従って、前記データ処理装置との通信ができない状態の間に取得できなかった、前記ユーザ識別情報が識別するユーザによる前記データ処理装置の使用に関する情報を前記データ処理装置から取得する取得手段と、
を有することを特徴とする情報処理装置。
【請求項２】
ユーザによる前記データ処理装置の使用を終了する操作が行われた場合、又は、ユーザによる前記データ処理装置に対する操作が一定時間無かった場合、前記記憶手段に記憶されているユーザ識別情報を削除する又は前記データ処理装置の使用が終了した旨の情報を前記記憶手段に記憶されているユーザ識別情報に付加する管理手段を有することを特徴とする請求項１に記載の情報処理装置。
【請求項３】
前記取得手段により前記データ処理装置から取得した前記データ処理装置の使用に関する情報に基づいて、データベースに記憶されている前記データ処理装置の使用に関する情報を更新するデータベース更新手段を有することを特徴とする請求項１又は２に記載の情報処理装置。
【請求項４】
前記認証手段は、前記識別されたユーザによる前記データ処理装置の使用を許可する際に、該ユーザによる前記データ処理装置の使用の権限範囲を示す情報に基づいて前記データ処理装置の使用を許可することを特徴とする請求項１乃至３のいずれか１項に記載の情報処理装置。
【請求項５】
前記認証手段は、前記識別されたユーザによる前記データ処理装置の使用を許可する際に、該ユーザによる前記データ処理装置の使用の権限範囲を示す情報をデータベースより取得することを特徴とする請求項４に記載の情報処理装置。
【請求項６】
ユーザによる前記データ処理装置の使用に関する情報は、該ユーザによる前記データ処理装置の使用量を示す情報であることを特徴とする請求項１乃至５のいずれか１項に記載の情報処理装置。
【請求項７】
データ処理装置と情報処理装置を有する情報処理システムにおいて、
前記情報処理装置は、
前記データ処理装置を使用するユーザを識別する認証手段と、
前記認証手段により識別されたユーザのうち前記データ処理装置の使用を終了したことになっていないユーザを識別するユーザ識別情報を記憶する記憶手段と、
前記データ処理装置との通信ができない状態から前記データ処理装置との通信ができる状態になった場合に、前記ユーザ識別情報が前記記憶手段に記憶されていることに従って、前記データ処理装置との通信ができない状態の間に取得できなかった、前記ユーザ識別情報が識別するユーザによる前記データ処理装置の使用に関する情報を前記データ処理装置から取得する取得手段と、を有するものであり、
前記データ処理装置は、
前記認証手段により識別されたユーザによる前記データ処理装置の使用に関する情報を前記情報処理装置に送信する第１の送信手段と、
前記情報処理装置との通信ができない状態から情報処理装置との通信ができる状態になった場合に、前記情報処理装置との通信ができない状態の間に送信できなかった、前記ユーザ識別情報が識別するユーザによる前記データ処理装置の使用に関する情報を前記情報処理装置に送信する第２の送信手段とを有するものである、
ことを特徴とする情報処理システム。
【請求項８】
データ処理装置と情報処理装置を有する情報処理システムにおける情報処理方法において、
前記情報処理装置は、
前記データ処理装置を使用するユーザを認識する認証ステップと、
前記認証ステップで識別されたユーザのうち前記データ処理装置の使用を終了したことになっていないユーザを識別するユーザ識別情報を記憶媒体に記憶する記憶ステップと、
前記データ処理装置との通信ができない状態から前記データ処理装置との通信ができる状態になった場合に、ユーザ識別情報が前記記憶媒体に記憶されていることに従って、前記データ処理装置との通信ができない状態の間に取得できなかった、前記ユーザ識別情報が識別するユーザによる前記データ処理装置の使用に関する情報を前記データ処理装置から取得する取得ステップと、を実行するものであり、
前記データ処理装置は、
前記認証ステップにより識別されたユーザによる前記データ処理装置の使用に関する情報を前記情報処理装置に送信する第１の送信ステップと、
前記情報処理装置との通信ができない状態から情報処理装置との通信ができる状態になった場合に、情報処理装置との通信ができない状態の間に送信できなかった、前記ユーザ識別情報が識別するユーザによる前記データ処理装置の使用に関する情報を前記情報処理装置に送信する第２の送信ステップとを有するものである、
ことを特徴とする情報処理方法。
【請求項９】
データ処理装置を使用するユーザを識別する認証ステップと、
前記認証ステップで識別されたユーザのうち前記データ処理装置の使用を終了したことになっていないユーザを識別するユーザ識別情報を記憶媒体に記憶する記憶ステップと、
前記データ処理装置との通信ができない状態から前記データ処理装置との通信ができる状態になった場合に、ユーザ識別情報が前記記憶媒体に記憶されていることに従って、前記データ処理装置との通信ができない状態の間に取得できなかった、前記ユーザ識別情報が識別するユーザによる前記データ処理装置の使用に関する情報を前記データ処理装置から取得する取得ステップと、
をコンピュータに実行させるためのプログラム。
【手続補正２】
【補正対象書類名】明細書
【補正対象項目名】０００６
【補正方法】変更
【補正の内容】
【０００６】
本発明は、情報処理装置において、データ処理装置を使用するユーザを識別する認証手段と、前記認証手段により識別されたユーザのうち前記データ処理装置の使用を終了したことになっていないユーザを識別するユーザ識別情報を記憶する記憶手段と、前記データ処理装置との通信ができない状態から前記データ処理装置との通信ができる状態になった場合に、前記ユーザ識別情報が前記記憶手段に記憶されていることに従って、前記データ処理装置との通信ができない状態の間に取得できなかった、前記ユーザ識別情報が識別するユーザによる前記データ処理装置の使用に関する情報を前記データ処理装置から取得する取得手段と、を有することを特徴とする。
【手続補正３】
【補正対象書類名】明細書
【補正対象項目名】０００７
【補正方法】変更
【補正の内容】
【０００７】
また、本発明は、データ処理装置と情報処理装置を有する情報処理システムにおいて、前記情報処理装置は、前記データ処理装置を使用するユーザを識別する認証手段と、前記認証手段により識別されたユーザのうち前記データ処理装置の使用を終了したことになっていないユーザを識別するユーザ識別情報を記憶する記憶手段と、前記データ処理装置との通信ができない状態から前記データ処理装置との通信ができる状態になった場合に、前記ユーザ識別情報が前記記憶手段に記憶されていることに従って、前記データ処理装置との通信ができない状態の間に取得できなかった、前記ユーザ識別情報が識別するユーザによる前記データ処理装置の使用に関する情報を前記データ処理装置から取得する取得手段と、を有するものであり、前記データ処理装置は、前記認証手段により識別されたユーザによる前記データ処理装置の使用に関する情報を前記情報処理装置に送信する第１の送信手段と、前記情報処理装置との通信ができない状態から、前記情報処理装置との通信ができる状態になった場合に、前記情報処理装置との通信ができない状態の間に送信できなかった、前記ユーザ識別情報が識別するユーザによる前記データ処理装置の使用に関する情報を前記情報処理装置に送信する第２の送信手段とを有するものである、ことを特徴とする。